(57)【要約】【課題】従来から、携帯電話、等を利用して、放送番組を選択して録画を行うシステムはある。しかし、予約の際に用いる機器ごとにユーザを識別する場合には、同一のユーザが異なる機器（携帯電話、ブラウザ等）で予約を行った場合に、ユーザが同一人物であることは認識されず、別個の予約情報として、認証される等の課題が生じる。【解決手段】本発明では、この課題を解決するために、ユーザごとに、ＩＤとパスワードを登録しておき、個人を特定しながら番組の録画を行うことができるシステムを提案する。これにより個人の予約が特定できるので、同一の携帯電話等から複数人で予約を行うことが可能となる。また、録画機器の特定を行うことで、録画機器の機種ごとに用意される入力画面の指示に従って、簡易かつ適切に録画予約することができる。【選択図】            図５
2004235772.tif 000002
【特許請求の範囲】
【請求項１】
放送番組の録画をするための予約情報である録画予約情報に基づいて放送番組を録画するための録画部と、
前記録画予約情報を含むメールである録画予約メールを受信するためのメール受信部と、
前記メール受信部で受信した録画予約メールの中から録画予約情報を抽出するための録画予約情報抽出部と、
を有する録画装置。
【請求項２】
放送番組表を出力するための放送番組表出力部と、
前記放送番組表出力部から出力された放送番組表に基づいて録画希望情報を受付ける録画希望情報受付部と、
前記録画希望情報受付部で受付けた録画希望情報に基づいて録画予約情報を生成する録画予約情報生成部と、
前記録画予約情報生成部で生成された録画予約情報を含むメールである録画予約メールを生成する録画予約メール生成部と、
前記録画予約メール生成部で生成された録画予約メールを送信する録画予約メール送信部と、
を有する録画予約メールサーバ装置。
【請求項３】
前記録画予約メールサーバ装置から放送番組表を取得する放送番組表取得部と、
前記放送番組表取得部で取得した放送番組表に基づいて録画を希望する番組を示す情報である録画希望番組情報を入力するための録画希望番組情報入力部と、
前記録画希望番組情報入力部に入力された録画希望番組情報に基づいて録画希望情報を生成する録画希望情報生成部と、
前記録画希望情報生成部で生成された録画希望情報を出力する録画希望情報出力部と、
を有する録画希望出力端末装置。
【請求項４】
前記録画希望番組情報入力部は、録画希望番組情報入力のための入力画面である録画希望番組情報入力画面を生成する録画希望番組情報入力画面生成手段を有する請求項３に記載の録画希望出力端末装置。
【請求項５】
ユーザＩＤを取得するためのユーザＩＤ取得部をさらに有し、
前記録画希望情報生成部は、前記ユーザＩＤ取得部が取得したユーザＩＤを含む録画希望情報を生成する請求項３又は４いずれか一に記載の録画希望出力端末装置。
【請求項６】
前記録画希望番組情報入力画面生成手段は、前記ユーザＩＤ取得部が取得したユーザＩＤに応じて前記録画希望番組情報入力画面を生成する請求項５に記載の録画希望出力端末装置。
【請求項７】
前記ユーザＩＤ取得部が取得したユーザＩＤに応じて前記録画希望番組情報入力画面を生成するための情報である録画希望番組情報入力画面生成情報を取得する録画希望番組情報入力画面生成情報取得部をさらに有し、
前記録画希望番組情報入力画面生成手段は、録画希望番組情報入力画面生成情報取得部が取得した録画希望番組情報入力画面生成情報に基づいて録画希望番組情報入力画面を生成する請求項６に記載の録画希望出力端末装置。
【請求項８】
前記ユーザＩＤ取得部が取得したユーザＩＤを含む録画希望番組情報入力画面生成情報を要求する情報である録画希望番組情報入力画面生成情報要求情報を生成する要求情報生成部と、
前記要求情報生成部が生成した録画希望番組情報入力画面生成情報要求情報を送信する要求情報送信部と、
をさらに有する請求項７に記載の録画希望出力端末装置。
【請求項９】
請求項２に記載の録画予約メールサーバ装置であって、
前記録画希望情報受付部で受付けた録画希望情報から前記ユーザＩＤを取得するユーザＩＤ取得部をさらに有し、
前記録画予約情報生成部は、前記ユーザＩＤに基づいて録画予約情報を生成する録画予約メールサーバ装置。
【請求項１０】
録画希望番組情報入力画面生成情報要求情報を受信する要求情報受信部と、
前記要求情報受信部で受信した録画希望番組情報入力画面生成情報要求情報に基づいて録画希望番組情報入力画面生成情報を取得する録画希望番組情報入力画面生成情報取得部と、
前記録画希望番組情報入力画面生成情報取得部で取得した録画希望番組情報入力画面生成情報を送信する録画希望番組情報入力画面生成情報送信部と、
をさらに有する請求項９に記載の録画予約メールサーバ装置。
【請求項１１】
請求項１に記載の録画装置であって、
前記録画予約情報抽出部から抽出された録画予約情報に基づいた録画が実行可能であるか判断する録画可能判断部と、
前記録画可能判断部での判断結果である録画可否情報を出力する録画可否情報出力部と、
を有する録画装置。
【請求項１２】
請求項２に記載の録画予約メールサーバ装置であって、
前記録画予約メール送信部から送信された録画予約メールに基づいた録画可否情報を取得する録画可否情報取得部と、
前記録画可否情報取得部で取得された録画可否情報に基づいて録画予約の状況を示す情報である録画予約状況情報を生成する録画予約状況情報生成部と、
前記録画予約状況情報生成部で生成された録画予約状況情報を出力する録画予約状況情報出力部と、
を有する録画予約メールサーバ装置。
【請求項１３】
請求項１２に記載の録画予約メールサーバ装置であって、
録画可否情報取得部で取得した録画可否情報を管理する録画可否情報管理部を有し、
前記録画予約状況情報生成部は、前記録画予約状況情報管理部で管理されている録画可否情報に基づいて、録画予約の重複を知らせる情報である録画重複情報を含む録画予約状況情報を生成する録画予約メールサーバ装置。
【発明の詳細な説明】
【０００１】
【発明の属する技術分野】
本発明は録画装置、録画メールサーバ装置、及び、録画希望出力装置に関するものである。
【０００２】
【従来の技術】
従来から、携帯電話、あるいは、ブラウザ等を利用して、放送番組を選択して録画を行うシステムはある（特許文献１参照。）。
【０００３】
【特許文献１】
特開２００１−３５９０３０号公報
【０００４】
【発明が解決しようとする課題】
しかし、予約の際に用いる機器ごとにユーザを識別する場合には、同一のユーザが異なる機器（携帯電話、ブラウザ等）で予約を行った場合に、ユーザが同一人物であることは認識されず、別個の予約情報として、認証される。また、同一の機器を用いて異なるユーザが予約を行った場合にも、ユーザが別の人物であることは認識されない。そのため、重複する予約が適切に対処できない等の課題が生じる。
【０００５】
【課題を解決するための手段】
本発明では、この課題を解決するために、ユーザごとに、ＩＤを登録しておき、個人を特定しながら番組の録画を行うことができるシステムを提案する。これにより個人の予約が特定できるので、携帯電話から行った予約をブラウザから削除する等の処理が可能となり、また、同一の携帯電話等から複数人で予約を行うことも可能となる。
【０００６】
また、個人の特定の他に、録画機器の特定もできる。したがって、ユーザは複数の録画機器の中から任意に選択して録画予約できるため、時間が重複した予約や、録画媒体の録画可能残量不足を認識し、解決する処理を行うことができる。このとき、録画機器の機種ごとに用意される入力画面の指示に従うことで、簡易かつ適切に録画希望番組情報を入力することができる。
【０００７】
【発明の実施の形態】
以下に、本発明の実施の形態を説明する。なお、本発明はこれら実施の形態に何ら限定されるものではなく、その要旨を逸脱しない範囲において、種々なる態様で実施しうる。
【０００８】
実施形態１は、主に請求項１などについて説明する。
【０００９】
実施形態２は、主に請求項２などについて説明する。
【００１０】
実施形態３は、主に請求項３などについて説明する。
【００１１】
実施形態４は、主に請求項４などについて説明する。
【００１２】
実施形態５は、主に請求項５などについて説明する。
【００１３】
実施形態６は、主に請求項６などについて説明する。
【００１４】
実施形態７は、主に請求項７などについて説明する。
【００１５】
実施形態８は、主に請求項８などについて説明する。
【００１６】
実施形態９は、主に請求項９などについて説明する。
【００１７】
実施形態１０は、主に請求項１０などについて説明する。
【００１８】
実施形態１１は、主に請求項１１などについて説明する。
【００１９】
実施形態１２は、主に請求項１２などについて説明する。
【００２０】
実施形態１３は、主に請求項１３などについて説明する。
＜＜実施形態１＞＞
【００２１】
＜実施形態１：概要＞
【００２２】
実施形態１について説明する。本実施形態は、録画予約メールに基づいて放送番組の録画を行う録画装置である。
【００２３】
図１は、本実施形態の概念の一例を示すものである。利用者Ａが、録画希望出力端末装置を用いて、自宅の録画装置に録画予約メールを送信する場面を示したものである。利用者Ａは自身の録画希望出力端末装置（携帯電話等）に、録画予約メールサーバ装置から放送番組表を取得し、それに基づいて録画を希望する番組の情報を返す。録画希望情報を受けた録画予約メールサーバ装置は、利用者Ａの自宅等に設置された録画装置に対して録画の予約のためのメールを送信する（録画希望出力端末装置と、録画予約メールサーバ装置については後述する。）。録画予約メールを受けた録画装置は、その録画の予約情報に基づいて、録画を行う。これにより、利用者は外出先からでも容易に録画装置へ放送番組の録画予約ができ、便利である。
【００２４】
＜実施形態１：構成＞
【００２５】
本実施形態での機能ブロックの一例を図２に示した。
【００２６】
図２に示す本実施形態の「録画装置」（０２００）は、「メール受信部」（０２０１）と、「録画予約情報抽出部」（０２０２）と、「録画部」（０２０３）とからなる。
【００２７】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。
【００２８】
具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００２９】
「メール受信部」（０２０１）は、録画予約メールを受信するための処理を行う。「録画予約メール」は、録画予約情報を含むメールである。「録画予約情報」は、放送番組の録画をするための予約情報である。録画予約メールは、録画予約情報を含み、あて先やタイトルが付加されて、録画予約メールサーバから送信される。
【００３０】
「録画予約情報抽出部」（０２０２）は、前記メール受信部（０２０１）で受信した録画予約メールの中から録画予約情報を抽出するための処理を行う。例えば、録画装置を識別する識別ＩＤ、ユーザのパスワード、録画モード（標準・３倍など）、放送局のコード、日時、開始時間、録画時間、番組タイトル等の情報などが該当する。抽出した録画予約情報は、録画部（０２０３）へ渡される。
【００３１】
「録画部」（０２０３）は、録画予約情報に基づいて放送番組を録画するための処理を行う。
【００３２】
＜実施形態１：具体例＞
【００３３】
図３は、録画予約情報を含む録画予約メールの具体例を示した。録画予約メールは、録画予約メールサーバから録画装置へ送られるもので、差出人のアドレスには録画希望出力端末装置のメールアドレスが、宛先のアドレスには録画装置のメールアドレスが記載されている。さらに、メールの本文として、録画予約情報が示されている。録画予約情報のフォーマットが定められていれば、録画装置での録画のための処理が容易に行えるという利点がある。
【００３４】
＜実施形態１：処理の流れ＞
【００３５】
図４は、本実施形態での録画装置と、実施形態２での録画予約メールサーバ装置と、実施形態３での録画希望出力端末装置と、における録画処理の流れの一例を示したものである。ここでは、まず、本実施形態の録画装置における録画方法を示し、その他は以下各実施形態にて後述する。本実施形態の録画装置における録画方法は、以下に示すステップよりなる。
【００３６】
まず、録画予約メールを受信するための処理を行う（メール受信部ステップ  Ｓ０４０１）。
【００３７】
次に、メール受信ステップ（Ｓ０４０１）にて受信した録画予約メールの中から録画予約情報を抽出するための処理を行う（録画予約情報抽出ステップ  Ｓ０４０２）。
【００３８】
最後に、録画予約情報に基づいて放送番組を録画するための処理を行う（録画ステップ  Ｓ０４０３）。
【００３９】
以上の処理は、計算機に実行させるためのプログラムで実行することができ、また、このプログラムを計算機によって読み取り可能な記録媒体に記録することができる。（本明細書の全体を通して同様である。）
【００４０】
＜実施形態１：効果＞
【００４１】
本実施形態における録画装置は、録画予約メールに基づいて放送番組の録画を行う。本件の録画装置は、録画予約メールを受信することによって録画のための処理を行う。これにより、利用者は外出先からでもメールを用いて録画予約の処理を行うことができ便利である。またメールの設定によれば、一の録画希望出力端末装置にて、複数の録画装置に対する録画予約も可能になり、利便性が高い。
＜＜実施形態２＞＞
【００４２】
＜実施形態２：概要＞
【００４３】
実施形態２について説明する。本実施形態は、利用者からの録画希望情報を受け、その録画希望情報に基づいた録画予約メールを生成する録画予約メールサーバ装置である。
【００４４】
＜実施形態２：構成＞
【００４５】
本実施形態での機能ブロックの一例を図５に示した。
【００４６】
図５に示す本実施形態の「録画予約メールサーバ装置」（０５００）は、「放送番組表出力部」（０５０１）と、「録画希望情報受付部」（０５０２）と、「録画予約情報生成部」（０５０３）と、「録画予約メール生成部」（０５０４）と、「録画予約メール送信部」（０５０５）とからなる。
【００４７】
「放送番組表出力部」（０５０１）は、放送番組表を出力するための処理を行う。「放送番組表」は、放送番組の視聴、録画に必要な情報を列挙したものである。録画予約メールサーバ装置は、利用者の所持する録画希望出力端末装置（例えば、携帯電話等）に、放送番組表を出力する。出力は、メールの送信にて行う方法の他に、インターネットを介してダウンロードさせる等の方法でもよい。
【００４８】
「録画希望情報受付部」（０５０２）は、前記放送番組表出力部（０５０１）から出力された放送番組表に基づいて録画希望情報を受付ける。「録画希望情報」は、利用者が録画希望出力端末装置を用いて、放送番組表に基づいて入力した録画希望番組情報から生成された情報である。つまり、録画希望番組情報は録画希望出力端末装置を利用者が操作等して入力した情報であり、録画希望情報は録画予約メールサーバ装置へ出力される情報である。
【００４９】
「録画予約情報生成部」（０５０３）は、前記録画希望情報受付部（０５０２）で受付けた録画希望情報に基づいて録画予約情報を生成する。録画予約情報は、録画希望情報の中から選択した録画予約を行う番組の情報であり、録画希望情報の一部となる場合もある。
【００５０】
「録画予約メール生成部」（０５０４）は、前記録画予約情報生成部（０５０３）で生成された録画予約情報を含むメールである録画予約メールを生成する。録画予約情報に、宛先のアドレス等を付加し、録画予約メールの生成を行う。
【００５１】
「録画予約メール送信部」（０５０５）は、前記録画予約メール生成部（０５０４）で生成された録画予約メールを送信する。録画予約メールの送信先は、主に録画装置などであり、録画装置はこの録画予約メールに基づいて、放送番組の予約録画が可能になる。
【００５２】
＜実施形態２：具体例＞
【００５３】
図６は、録画希望情報から生成する録画予約情報と、録画予約情報を含む録画予約メールの具体例を示した。録画希望情報は、利用者が録画を希望する番組の情報であり、ここでは、放送局のコード、放送日時、放送開始時間、放送時間、番組のタイトルにより構成されている。録画希望情報のうち、記録媒体や、利用者の都合により、一部の番組のみを録画予約情報とする場合もある。今、利用者の選択により、「名作ドラマ」の録画予約はせずに、「ニュース＆スポーツ」だけを録画予約することとした。この場合、「ニュース＆スポーツ」についての録画予約情報が生成される。さらに、この録画予約情報に宛先のメールアドレスなどを付加することにより、録画予約メールが生成できる。録画希望出力端末装置から録画装置に対する録画予約を、録画予約メールサーバ装置を介して行うことで、録画装置の各機種に対応する録画予約メールを生成することができるという利点がある。
【００５４】
＜実施形態２：処理の流れ＞
【００５５】
図４に示す録画方法のうち、実施形態２の録画予約メールサーバ装置における録画予約メール送信方法は、以下に示すステップよりなる。
【００５６】
まず、放送番組表を出力するための処理を行う（放送番組表出力ステップ  Ｓ０４１１）。
【００５７】
その後、放送番組表出力ステップにて出力された放送番組表に基づいて録画希望情報を受付ける（録画希望情報受付ステップ  Ｓ０４１２）。
【００５８】
次に、前記録画希望情報受付ステップにて受付けた録画希望情報に基づいて録画予約情報を生成する（録画予約情報生成ステップ  Ｓ０４１３）。
【００５９】
さらに、前記録画予約情報生成ステップにて生成された録画予約情報を含むメールである録画予約メールを生成する（録画予約メール生成ステップ  Ｓ０４１４）。
【００６０】
最後に、前記録画予約メール生成ステップにて生成された録画予約メールを送信する（録画予約メール送信ステップ  Ｓ０４１５）。
【００６１】
＜実施形態２：効果＞
【００６２】
本実施形態における録画予約メールサーバ装置は、録画希望情報に基づいて録画装置に録画予約メールを送信する。録画予約の希望が録画装置へ直接出力されるのではなく、録画予約メールサーバ装置を介して行われることで、録画装置と、録画希望出力端末装置（携帯電話等）の機種を利用者が考慮することなく適切な録画予約を行うことができ、便利である。
＜＜実施形態３＞＞
【００６３】
＜実施形態３：概要＞
【００６４】
実施形態３について説明する。本実施形態は、放送番組表に基づいて録画希望情報を録画予約メールサーバ装置に送信する録画希望出力端末である。
【００６５】
＜実施形態３：構成＞
【００６６】
本実施形態での機能ブロックの一例を図７に示した。
【００６７】
図７に示す本実施形態の「録画希望出力端末装置」（０７００）は、「放送番組表取得部」（０７０１）と、「録画希望番組情報入力部」（０７０２）と、「録画希望情報生成部」（０７０３）と、「録画希望情報出力部」（０７０４）からなる。
【００６８】
「放送番組表取得部」（０７０１）は、前記録画予約メールサーバ装置から放送番組表を取得する。
【００６９】
「録画希望番組情報入力部」（０７０２）は、前記放送番組表取得部（０７０１）で取得した放送番組表に基づいて録画希望番組情報を入力するための処理を行う。「録画希望番組情報」は、録画を希望する番組を示す情報である。入力は、直接文字を打ちこむ場合他、放送番組表から選択する等の場合も含まれるとしてもよい。
【００７０】
「録画希望情報生成部」（０７０３）は、前記録画希望番組情報入力部（０７０２）に入力された録画希望番組情報に基づいて録画希望情報を生成する。録画希望情報は、録画予約メールサーバ装置にて、録画予約情報を生成するための情報である。例えば、録画希望情報の生成は、コード番号等に変換される処理などが該当する。
【００７１】
「録画希望情報出力部」（０７０４）は、前記録画希望情報生成部（０７０３）で生成された録画希望情報を出力する。出力は、主に録画予約メールサーバ装置に対して行われる。
【００７２】
＜実施形態３：処理の流れ＞
【００７３】
図４に示す録画方法のうち、実施形態３の録画希望出力端末装置における録画希望情報の出力方法は、以下に示すステップよりなる。
【００７４】
まず、前記録画予約メールサーバ装置から放送番組表を取得する（放送番組表取得部ステップ  Ｓ０４２１）。
【００７５】
次に、前記放送番組表取得ステップにて取得した放送番組表に基づいて録画を希望する番組を示す情報である録画希望番組情報を入力するための処理を行う（録画希望番組情報入力ステップ  Ｓ０４２２）。
【００７６】
さらに、前記録画希望番組情報入力ステップにて入力された録画希望番組情報に基づいて録画希望情報を生成する（録画希望情報生成ステップ  Ｓ０４２３）。
【００７７】
最後に、前記録画希望情報生成ステップにて生成された録画希望情報を出力する（録画希望情報出力ステップ  Ｓ０４２３）。
【００７８】
＜実施形態３：効果＞
【００７９】
本実施形態における録画希望出力端末装置は、放送番組表に基づいて録画希望情報を録画予約メールサーバ装置に送信する。録画予約を送信するのに録画装置に対応した固有の装置ではなく、携帯電話等の汎用した録画希望出力端末装置を利用できれば、利用者は便利である。外出先からでも、すぐに録画予約が行えるので、視聴したい番組を見逃すことを防ぐことができる。
＜＜実施形態４＞＞
【００８０】
＜実施形態４：概要＞
【００８１】
実施形態４について説明する。本実施形態は、録画希望番組の情報を入力するための入力画面を生成することに特徴を有する録画希望出力端末装置である。
【００８２】
＜実施形態４：構成＞
【００８３】
本実施形態での機能ブロックの一例を図８に示した。
【００８４】
図８に示す本実施形態の「録画希望出力端末装置」（０８００）は、「放送番組表取得部」（０８０１）と、「録画希望番組情報入力部」（０８０２）と、「録画希望情報生成部」（０８０３）と、「録画希望情報出力部」（０８０４）からなる。さらに、録画希望番組情報入力部（０８０２）は、「録画希望番組情報入力画面生成手段」（０８０５）を有する。
【００８５】
「録画希望番組情報入力画面生成手段」（０８０５）は、録画希望番組情報入力画面を生成する。「録画希望番組情報入力画面」は、録画希望番組情報入力のための入力画面である。これは、録画希望出力端末装置の利用者に入力を促す表示や、選択可能な情報の提示を行う場合が想定される。利用者は、指示にしたがって入力を行うことで、録画予約の処理を完了させることができる。
【００８６】
その他、各部の処理は実施形態３と同様である。
【００８７】
＜実施形態４：具体例＞
【００８８】
図９は、放送番組表に基づいて録画希望番組情報を入力し、さらに、その録画希望番組情報から録画希望情報を生成する場面の具体例を示した。図上側に示したのは録画希望出力端末装置の録画希望番組情報入力画面である。まず、録画予約のためには、録画希望番組情報入力画面に従い、例えば図で示したように日程を選択する。これにより、その日の番組、放送局、時間などが表示される。今、利用者は放送番組表から録画を希望する番組として、「名作ドラマ」と「ニュース＆ドラマ」を選択する。さらに、録画モード（標準／３倍等）、録画分数等を入力することもできる。これらの情報が、録画希望情報となる。
【００８９】
＜実施形態４：効果＞
【００９０】
本実施形態における録画希望出力端末装置は、録画希望番組情報入力画面を生成し、利用者に録画希望番組情報の入力を容易に行うことができる。煩雑な録画予約のための設定や、録画装置の機種に依存する予約に必要な情報も録画希望番組情報入力画面に従うことでスムーズに入力できるため、利用者にとって利用価値が高いといえる。
＜＜実施形態５＞＞
【００９１】
＜実施形態５：概要＞
【００９２】
実施形態５について説明する。本実施形態は、ユーザＩＤを含む録画情報を生成することに特徴を有する録画希望出力端末装置である。
【００９３】
＜実施形態５：構成＞
【００９４】
本実施形態での機能ブロックの一例を図１０に示した。
【００９５】
図１０に示す本実施形態の「録画希望出力端末装置」（１０００）は、「放送番組表取得部」（１００１）と、「録画希望番組情報入力部」（１００２）と、「録画希望情報生成部」（１００３）と、「録画希望情報出力部」（１００４）と、さらに、「ユーザＩＤ取得部」（１００５）からなる。
【００９６】
「ユーザＩＤ取得部」（１００５）は、ユーザＩＤを取得するための処理を行う。「ユーザＩＤ」は、利用者を識別するための識別情報である。このユーザＩＤに利用者の保持する録画装置についての情報が関連付けられていてもよい。つまりユーザＩＤにより、各利用者が所有する録画装置のメーカー、機種等が特定できる。ユーザＩＤの取得は、利用者による入力等にて行われる。
【００９７】
「録画希望情報生成部」（１００３）は、前記ユーザＩＤ取得部（１００５）が取得したユーザＩＤを含む録画希望情報を生成する。録画希望情報を生成する際に、ユーザＩＤも含めることで、録画予約メールサーバ装置に多数の録画希望出力端末装置から録画希望情報が出力された場合でも、その判別が可能となる。また、同一の録画希望出力端末装置を複数の利用者にて利用する場合にも、利用者ごとの録画希望情報の管理が可能となる。
【００９８】
その他、各部の処理は、実施形態３又は４と同様である。
【００９９】
＜実施形態５：効果＞
【０１００】
本実施形態における録画希望出力端末装置は、録画希望情報にユーザＩＤを含めることで、利用者ごとの録画希望情報の判別が可能となる。したがって、同一の録画希望出力端末装置を、例えば家族など複数の利用者にて利用する場合に、各人が希望する録画番組を、それぞれ別個の記録媒体に録画することもでき、便利である。
＜＜実施形態６＞＞
【０１０１】
＜実施形態６：概要＞
【０１０２】
実施形態６について説明する。本実施形態は、ユーザＩＤに応じて録画希望番組情報入力画面を生成することに特徴を有する録画希望出力端末装置である。
【０１０３】
＜実施形態６：構成＞
【０１０４】
本実施形態での機能ブロックの一例を図１１に示した。
【０１０５】
図１１に示す本実施形態の「録画希望出力端末装置」（１１００）は、「放送番組表取得部」（１１０１）と、「録画希望番組情報入力部」（１１０２）と、「録画希望情報生成部」（１１０３）と、「録画希望情報出力部」（１１０４）と、「ユーザＩＤ取得部」（１１０６）からなる。また、録画希望番組情報入力部（１１０２）は、「録画希望番組情報入力画面生成手段」（１１０５）を有する。
【０１０６】
「録画希望番組情報入力画面生成手段」（１１０５）は、ユーザＩＤ取得部（１１０６）が取得したユーザＩＤに応じて前記録画希望番組情報入力画面を生成する。ユーザＩＤに応じて生成される録画希望番組情報入力画面は、利用者の予約録画方法に適した入力画面とすることができる。例えば、利用者が頻繁に指定する事項（例えば、録画モードはいつも標準モードを指定）については、それがすでに選択された状態として入力画面を生成し、異なる事項を設定したい場合に改めて入力することができる入力画面の生成が該当する。
【０１０７】
その他、各部の処理は実施形態５と同様である。
【０１０８】
＜実施形態６：効果＞
【０１０９】
本実施形態における録画希望出力端末装置は、ユーザＩＤに応じて録画希望番組情報入力画面を生成することができる。これにより、各利用者の予約録画方法に適した入力画面とすることができ、利用者は入力がしやすくなるという効果を有する。
＜＜実施形態７＞＞
【０１１０】
＜実施形態７：概要＞
【０１１１】
実施形態７について説明する。本実施形態は、ユーザＩＤに応じた録画希望番組情報入力画面を生成するための情報に基づいて録画希望番組情報入力画面を生成することに特徴を有する録画希望出力端末装置である。
【０１１２】
＜実施形態７：構成＞
【０１１３】
本実施形態での機能ブロックの一例を図１２に示した。
【０１１４】
図１２に示す本実施形態の「録画希望出力端末装置」（１２００）は、「放送番組表取得部」（１２０１）と、「録画希望番組情報入力部」（１２０２）と、「録画希望情報生成部」（１２０３）と、「録画希望情報出力部」（１２０４）と、「ユーザＩＤ取得部」（１２０６）と、さらに、「録画希望番組情報入力画面生成情報取得部」（１２０７）からなる。また、録画希望番組情報入力部（１２０２）は、「録画希望番組情報入力画面生成手段」（１２０５）を有する。
【０１１５】
「録画希望番組情報入力画面生成情報取得部」（１２０７）は、ユーザＩＤ取得部（１２０６）が取得したユーザＩＤに応じて録画希望番組情報入力画面生成情報を取得する。「録画希望番組情報入力画面生成情報」は、前記録画希望番組情報入力画面を生成するための情報である。例えば、録画装置の各機種に対応する予約録画方法に応じた入力画面を生成するための情報などが該当する。具体的には、利用者の保持する録画装置においては、録画時間の延長できるのが１５分刻みである場合に、これに合わせて延長時間が１５分刻みの選択肢で表示される場合などが該当する。このとき、全ての機種の録画装置に対応できるような（例えば分刻みで入力を行う）形態にしないことで、設定できない時間を利用者が設定したことに気づかずに、予約録画に失敗する等の事態を防ぐことができる。
【０１１６】
その他、各部の処理は実施形態６と同様である。
【０１１７】
＜実施形態７：効果＞
【０１１８】
本実施形態における録画希望出力端末装置は、ユーザＩＤに応じた録画希望番組情報入力画面生成情報に基づいて録画希望番組情報入力画面を生成することができる。これにより、各利用者の所持する録画装置の予約録画方法に適した入力画面とすることができ、利用者は設定できないモードが表示される等の不便を感じることなく入力できるという効果を有する。
＜＜実施形態８＞＞
【０１１９】
＜実施形態８：概要＞
【０１２０】
実施形態８について説明する。本実施形態は、ユーザＩＤに応じた録画希望番組情報入力画面を要求することに特徴を有する録画希望出力端末装置である。
【０１２１】
＜実施形態８：構成＞
【０１２２】
本実施形態での機能ブロックの一例を図１３に示した。
【０１２３】
図１３に示す本実施形態の「録画希望出力端末装置」（１３００）は、「放送番組表取得部」（１３０１）と、「録画希望番組情報入力部」（１３０２）と、「録画希望情報生成部」（１３０３）と、「録画希望情報出力部」（１３０４）と、「ユーザＩＤ取得部」（１３０６）と、「録画希望番組情報入力画面生成情報取得部」（１３０７）と、さらに、「要求情報生成部」（１３０８）と、「要求情報送信部」（１３０９）からなる。また、録画希望番組情報入力部（１３０２）は、「録画希望番組情報入力画面生成手段」（１３０５）を有する。
【０１２４】
「要求情報生成部」（１３０８）は、ユーザＩＤ取得部（１３０６）が取得したユーザＩＤを含む録画希望番組情報入力画面生成情報要求情報を生成する。「録画希望番組情報入力画面生成情報要求情報」は、録画希望番組情報入力画面生成情報を要求する情報である。これは、録画希望番組情報入力画面を生成するために、必要な情報を要求するものである。ユーザＩＤを含めることで、録画希望番組情報入力画面を、利用者の予約録画方法に適した入力画面、あるいは、録画装置の各機種に対応する予約録画ができる入力画面等とするための録画希望番組情報入力画面生成情報を要求することができる。
【０１２５】
「要求情報送信部」（１３０９）は、要求情報生成部（１３０８）が生成した録画希望番組情報入力画面生成情報要求情報を送信する。送信先は、例えば、録画予約メールサーバ装置などが想定される。録画希望番組情報入力画面生成情報を外部から取得することで、録画希望出力端末装置の負荷を減らすことができる。
【０１２６】
また、ここでの録画希望番組情報入力画面生成情報取得部（１３０７）は、要求に応じて送信された録画希望番組情報入力画面生成情報を取得する。取得した情報を用いて、録画希望番組情報入力画面生成手段（１３０５）にて録画希望番組情報入力画面を生成することができる。
【０１２７】
その他、各部の処理は実施形態７と同様である。
【０１２８】
＜実施形態８：効果＞
【０１２９】
本実施形態における録画希望出力端末装置は、要求することで外部から送信される録画希望番組情報入力画面生成情報に基づいて録画希望番組情報入力画面を生成することができる。これにより、サーバ等から最新の録画希望番組情報入力画面生成情報を得ることができる。さらに、録画希望出力端末装置の負荷を減らこともできる。
【０１３０】
また、このときの録画希望番組情報入力画面生成情報は、ユーザＩＤに応じて、各利用者自身、あるいは、各利用者の所持する録画装置に適した入力画面とすることができるので、利用者は容易に録画予約を行うことができ利便性が高い。
＜＜実施形態９＞＞
【０１３１】
＜実施形態９：概要＞
【０１３２】
実施形態９について説明する。本実施形態は、ユーザＩＤに基づいて録画予約情報を生成することに特徴を有する録画予約メールサーバ装置である。
【０１３３】
＜実施形態９：構成＞
【０１３４】
本実施形態での機能ブロックの一例を図１４に示した。
【０１３５】
図１４に示す本実施形態の「録画予約メールサーバ装置」（１４００）は、「放送番組表出力部」（１４０１）と、「録画希望情報受付部」（１４０２）と、「録画予約情報生成部」（１４０３）と、「録画予約メール生成部」（１４０４）と、「録画予約メール送信部」（１４０５）と、さらに、「ユーザＩＤ取得部」（１４０６）とからなる。
【０１３６】
「ユーザＩＤ取得部」（１４０６）は、録画希望情報受付部（１４０２）で受付けた録画希望情報から前記ユーザＩＤを取得する。録画希望情報は、録画希望出力端末装置から出力される場合が想定される。
【０１３７】
「録画予約情報生成部」（１４０３）は、前記ユーザＩＤに基づいて録画予約情報を生成する。具体的には、ユーザＩＤから利用者の所有する録画装置の機種を認識し、その機種に適した形式の録画予約情報を生成する場合が該当する。このとき、録画予約メールサーバ装置は、ユーザＩＤと、その利用者の所有する録画装置に関する情報等を関連付けて保持していることが前提となる。また、利用者が所有している複数の録画装置から録画をすべき装置を特定して録画予約情報を生成することができるとしてもよい。
【０１３８】
その他、各部の処理は実施形態２と同様である。
【０１３９】
＜実施形態９：効果＞
【０１４０】
本実施形態における録画予約メールサーバ装置は、ユーザＩＤに基づいて録画予約情報を含む録画予約メールを録画装置に送信する。ユーザＩＤに基づいた録画予約の希望ができることで、利用者の所有する録画装置の機種に適した形式の録画予約情報を生成することができる。また、録画予約メールサーバ装置が、ユーザＩＤと、その利用者の所有する録画装置に関する情報等を関連付けて保持していることで、録画希望出力端末装置の負荷を減らすことができる。
＜＜実施形態１０＞＞
【０１４１】
＜実施形態１０：概要＞
【０１４２】
実施形態１０について説明する。本実施形態は、録画希望出力端末装置からの録画希望番組情報入力画面生成情報要求情報を受けて入力画面を生成するための情報を送信することに特徴を有する録画予約メールサーバ装置である。
【０１４３】
＜実施形態１０：構成＞
【０１４４】
本実施形態での機能ブロックの一例を図１５に示した。
【０１４５】
図１５に示す本実施形態の「録画予約メールサーバ装置」（１５００）は、「放送番組表出力部」（１５０１）と、「録画希望情報受付部」（１５０２）と、「録画予約情報生成部」（１５０３）と、「録画予約メール生成部」（１５０４）と、「録画予約メール送信部」（１５０５）と、「ユーザＩＤ取得部」（１５０６）と、さらに、「要求情報受信部」（１５０７）と、「録画希望番組情報入力画面生成情報取得部」（１５０８）と、「録画希望番組情報入力画面生成情報送信部」（１５０９）からなる。
【０１４６】
「要求情報受信部」（１５０７）は、録画希望番組情報入力画面生成情報要求情報を受信する。録画希望番組情報入力画面生成情報要求情報は、実施形態８における録画希望出力端末装置から送信されたものである。
【０１４７】
「録画希望番組情報入力画面生成情報取得部」（１５０８）は、前記要求情報受信部（１５０７）で受信した録画希望番組情報入力画面生成情報要求情報に基づいて録画希望番組情報入力画面生成情報を取得する。録画希望番組情報入力画面生成情報要求情報に基づいた取得とは、録画予約メールサーバ装置に保持等されている各利用者、録画装置などに対応する録画希望番組情報入力画面生成情報を要求に応じて用いることができるように取得する場合などが該当する。
【０１４８】
「録画希望番組情報入力画面生成情報送信部」（１５０９）は、前記録画希望番組情報入力画面生成情報取得部（１５０８）で取得した録画希望番組情報入力画面生成情報を送信する。送信先は、主に録画希望番組情報入力画面生成情報要求情報の送信元の録画希望出力端末装置である。
【０１４９】
その他、各部の処理は実施形態９と同様である。
【０１５０】
＜実施形態１０：効果＞
【０１５１】
本実施形態における録画予約メールサーバ装置は、録画希望出力端末装置からの要求に応じて録画希望番組情報入力画面生成情報を送信する。録画希望出力端末装置が必要とする場合に要求が行われるので、余分な処理を排することが可能となる。さらに、本実施形態における録画予約メールサーバ装置を用いて、最小限で、かつ、効率のよいシステムを構築することができる。
＜＜実施形態１１＞＞
【０１５２】
＜実施形態１１：概要＞
【０１５３】
実施形態１１について説明する。本実施形態は、録画可否の情報を返信する録画装置である。
【０１５４】
図１６は、本実施形態の概念の一例を示すものである。利用者Ａが、録画予約メールサーバ装置を介して、自宅の録画装置に録画予約メールを送信することで、録画予約が行えることはすでに述べた。本実施形態では、この録画予約情報に基づいた録画が実行可能かどうかの判断結果である録画可否情報を出力することが可能な録画装置を提案する。例えば、録画装置の記録媒体の残存容量が少ない場合や、予約情報に不備、重複等がある場合には、適切に録画できない事態が生じうる。このような事態は、予約を行った利用者自身が前もって認識し、予約し直すことで回避できる。ここで、録画可否情報は、録画予約メールサーバ装置、録画装置のいずれに出力するとしてもよい。また、録画予約メールサーバ装置に対して、録画可否情報が出力された場合には、録画予約メールサーバ装置がさらに利用者に出力を行うとしてもよい（この形態については、後述の実施形態１２にて述べる）。これにより、利用者は視聴したい番組を録画し損なう危険性を最小限に押さえることができる。
【０１５５】
＜実施形態１１：構成＞
【０１５６】
本実施形態での機能ブロックの一例を図１７に示した。
【０１５７】
図１７に示す本実施形態の「録画装置」（１７００）は、「メール受信部」（１７０１）と、「録画予約情報抽出部」（１７０２）と、「録画部」（１７０３）と、さらに、「録画可能判断部」（１７０４）と、「録画可否情報出力部」（１７０５）とからなる。
【０１５８】
「録画可能判断部」（１７０４）は、前記録画予約情報抽出部（１７０２）から抽出された録画予約情報に基づいた録画が実行可能であるか判断する。録画が実行可能であるかどうかの判断は、具体的には、録画装置の記録媒体の残存容量が少ない場合や、予約情報に矛盾、不備等がある場合などは、録画の実行は不可であるとの判断結果となることが想定される。そして、録画の実行が不可となる原因が発見できない場合には、録画実行可であるとの判断結果とするとよい。
【０１５９】
「録画可否情報出力部」（１７０５）は、前記録画可能判断部（１７０４）での判断結果である録画可否情報を出力する。録画可否情報は、録画予約メールサーバ装置、録画装置のいずれに出力するとしてもよい。また出力は、録画可否情報を含むメールの送信による場合、警告表示による場合など、種々の態様が含まれるとしてもよい。
【０１６０】
その他、各部の処理は実施形態１と同様である。
【０１６１】
＜実施形態１１：処理の流れ＞
【０１６２】
図１８は、本実施形態での録画装置における処理の流れの一例を示したものである。本実施形態の録画装置における録画可否情報の出力方法は、以下に示すステップよりなる。
【０１６３】
まず、録画予約メールを受信するための処理を行う（メール受信部ステップ  Ｓ１８０１）。
【０１６４】
次に、メール受信ステップ（Ｓ１８０１）にて受信した録画予約メールの中から録画予約情報を抽出するための処理を行う（録画予約情報抽出ステップ  Ｓ１８０２）。
【０１６５】
その次に、録画予約情報抽出ステップ（Ｓ１８０２）にて抽出された録画予約情報に基づいた録画が実行可能であるか判断する（録画可能判断ステップ  Ｓ１８０３）。
【０１６６】
その後、録画可能判断ステップ（Ｓ１８０３）での判断結果である録画可否情報を出力する（録画可否情報出力ステップ  Ｓ１８０４）。
【０１６７】
さらに、録画可否情報出力ステップ（Ｓ１８０４）にて出力された録画可否情報に基づいて、録画が可能であるか判断する（録画処理判断ステップ  Ｓ１８０５）。
【０１６８】
最後に、録画処理判断ステップ（Ｓ１８０５）にて録画が可能との判断の場合には、録画予約情報に基づいて放送番組を録画するための処理を行う（録画ステップ  Ｓ１８０６）。一方、録画が不可能との判断の場合には、処理を終了する。
【０１６９】
＜実施形態１１：効果＞
【０１７０】
本実施形態における録画装置は、録画が実行可能であるか判断して、その判断結果である録画可否情報を出力する。これにより、録画予約が適切に行われなかったことが、予約を行った利用者自身が前もって分かるため、予約の確認や、再度の予約により録画の失敗を未然に回避できる。利用者は視聴したい番組を録画し損なう危険性を最小限に押さえることができるため、便利である。
＜＜実施形態１２＞＞
【０１７１】
＜実施形態１２：概要＞
【０１７２】
実施形態１２について説明する。本実施形態は、録画装置からの録画可否情報を受け、その録画可否情報に基づいた録画予約状況情報を出力する録画予約メールサーバ装置である。
【０１７３】
図１９は、本実施形態の概念の一例を示すものである。録画装置が、録画予約情報に基づいた録画が実行可能かどうかの判断結果である録画可否情報を録画予約メールサーバ装置等に出力することはすでに述べた。本実施形態では、その録画可否情報に基づいた録画予約状況情報を出力する録画予約メールサーバ装置を提案する。録画予約の状況を示す情報として、録画実行の可否の他に、その原因となる事象についての情報なども出力されると、利用者は録画予約のやりなおしが容易に行える。またここで、録画予約状況情報は、録画希望出力端末装置、あるいは、指定された他の端末装置のいずれに出力するとしてもよい。例えば、利用者の職場の端末装置に出力することができるとすると、利用者は即座に対応ができて、便利である。
【０１７４】
＜実施形態１２：構成＞
【０１７５】
本実施形態での機能ブロックの一例を図２０に示した。
【０１７６】
図２０に示す本実施形態の「録画予約メールサーバ装置」（２０００）は、「放送番組表出力部」（２００１）と、「録画希望情報受付部」（２００２）と、「録画予約情報生成部」（２００３）と、「録画予約メール生成部」（２００４）と、「録画予約メール送信部」（２００５）と、さらに、「録画可否情報取得部」（２００６）と、「録画予約状況情報生成部」（２００７）と、「録画予約状況情報出力部」（２００８）とからなる。
【０１７７】
「録画可否情報取得部」（２００６）は、録画予約メール送信部（２００５）から送信された録画予約メールに基づいた録画可否情報を取得する。録画可否情報は、実施形態１１における録画装置から出力されたものである。
【０１７８】
「録画予約状況情報生成部」（２００７）は、前記録画可否情報取得部（２００６）で取得された録画可否情報に基づいて録画予約状況情報を生成する。「録画予約状況情報」は、録画予約の状況を示す情報である。録画予約状況情報には、録画実行の可否の他に、その原因となる事象についての情報も含まれるとしてもよい。具体的には、「録画予約のうち、後半２０分が容量不足のため録画不可」、あるいは、「放送局の指定がないため録画不可」などが該当する。
【０１７９】
「録画予約状況情報出力部」（２００８）は、前記録画予約状況情報生成部（２００７）で生成された録画予約状況情報を出力する。録画予約状況情報は、録画希望出力端末装置、あるいは、指定された他の端末装置のいずれに出力するとしてもよい。例えば、利用者の職場の端末装置に出力することができるとすると、利用者は即座に対応ができて、便利である。
【０１８０】
その他、各部の処理は実施形態２と同様である。
【０１８１】
＜実施形態１２：処理の流れ＞
【０１８２】
図２１は、本実施形態での録画予約メールサーバ装置における処理の流れの一例を示したものである。本実施形態の録画予約メールサーバ装置における録画予約状況情報の出力方法は、以下に示すステップよりなる。
【０１８３】
まず、録画予約メールに基づいた録画可否情報を取得する（録画可否情報取得ステップ  Ｓ２１０１）。
【０１８４】
次に、前記録画可否情報取得ステップ（Ｓ２１０１）にて取得された録画可否情報に基づいて録画予約の状況を示す情報である録画予約状況情報を生成する（録画予約状況情報生成ステップ  Ｓ２１０２）。
【０１８５】
最後に、前記録画予約状況情報生成ステップにて生成された録画予約状況情報を出力する（録画予約状況情報出力ステップ  Ｓ２１０３）。
【０１８６】
＜実施形態１２：効果＞
【０１８７】
本実施形態における録画予約メールサーバ装置は、録画装置からの録画可否情報を受け、その録画可否情報に基づいて録画予約状況情報を出力する。録画予約状況情報に、録画実行の可否の他に、その原因となる事象についての情報も含まれる場合には、利用者が予約の不備を認識し、またその是正を容易に行えるため、便利である。また、録画予約状況情報を、指定された端末装置に出力することができるとすると、利用者は自身が常時使用する端末等を指定することで、即座に再予約等の対応ができて、便利である。
＜＜実施形態１３＞＞
【０１８８】
＜実施形態１３：概要＞
【０１８９】
実施形態１３について説明する。本実施形態は、録画予約の重複を知らせる情報である録画重複情報を含む録画予約状況情報を生成することに特徴を有する録画予約メールサーバ装置である。
【０１９０】
＜実施形態１３：構成＞
【０１９１】
本実施形態での機能ブロックの一例を図２２に示した。
【０１９２】
図２２に示す本実施形態の「録画予約メールサーバ装置」（２２００）は、「放送番組表出力部」（２２０１）と、「録画希望情報受付部」（２２０２）と、「録画予約情報生成部」（２２０３）と、「録画予約メール生成部」（２２０４）と、「録画予約メール送信部」（２２０５）と、「録画可否情報取得部」（２２０６）と、「録画予約状況情報生成部」（２２０７）と、「録画予約状況情報出力部」（２２０８）と、さらに、「録画可否情報管理部」（２２０９）とからなる。
【０１９３】
「録画可否情報管理部」（２２０９）は、録画可否情報取得部（２２０６）で取得した録画可否情報を管理する。管理は、録画予約情報と、録画可否情報を関連付けて保持することなどが該当する。
【０１９４】
「録画予約状況情報生成部」（２２０７）は、前記録画予約状況情報管理部（２２０９）で管理されている録画可否情報に基づいて、録画重複情報を含む録画予約状況情報を生成する。「録画重複情報」は、録画予約の重複を知らせる情報である。例えば、録画媒体の残存容量の観点から録画可能との判断結果が得られた場合であっても、その放送日時の観点からは重複が生じている場合もある。その場合には、一の録画予約情報のみを録画可能とし、残りは録画不可とする録画予約状況情報を作成する。
【０１９５】
＜実施形態１３：効果＞
【０１９６】
本実施形態における録画予約メールサーバ装置は、録画予約の重複を知らせる情報である録画重複情報を含む録画予約状況情報を生成する。一見、録画可能と思われる録画予約情報であっても、重複する場合に備え、録画可否情報を管理することにより、不測の録画予約ミスをなくすことができ、信頼性の高いシステムを構築することができる。
【発明の効果】
本発明においては、放送番組の録画予約を行うために、メールなどを用いて実行する。その際、録画装置に対応した固有の装置ではなく、携帯電話等の汎用した録画希望出力端末装置を利用することで、外出先からでもすぐに録画予約が可能となり、利用者は便利である。また、メールの設定によれば、一の録画希望出力端末装置にて、複数の録画装置に対する録画予約も可能になるため、利便性が高い。
【０１９７】
また、録画予約の希望が録画装置へ直接出力されるのではなく、録画予約メールサーバ装置を介して行われることで、録画装置と、録画希望出力端末装置（携帯電話等）の機種を利用者が考慮することなく適切な録画予約を行うことができ、便利である。さらに、ユーザＩＤに応じて各利用者に適切な録画希望番組情報入力画面が表示されれば、利用者は設定できないモードが表示される等の不便を感じることなく録画予約が行えるという効果を有する
【図面の簡単な説明】
【図１】実施形態１を説明するための概念図
【図２】実施形態１を説明するための機能ブロック図
【図３】実施形態１における録画予約メール等の一例を示した図
【図４】実施形態１から３の処理の流れを説明する図
【図５】実施形態２を説明するための機能ブロック図
【図６】実施形態２における録画希望情報等の一例を示した図
【図７】実施形態３を説明するための機能ブロック図
【図８】実施形態４を説明するための機能ブロック図
【図９】実施形態４における録画希望番組情報入力画面等の一例を示した図
【図１０】実施形態５を説明するための機能ブロック図
【図１１】実施形態６を説明するための機能ブロック図
【図１２】実施形態７を説明するための機能ブロック図
【図１３】実施形態８を説明するための機能ブロック図
【図１４】実施形態９を説明するための機能ブロック図
【図１５】実施形態１０を説明するための機能ブロック図
【図１６】実施形態１１を説明するための概念図
【図１７】実施形態１１を説明するための機能ブロック図
【図１８】実施形態１１の処理の流れを説明する図
【図１９】実施形態１２を説明するための概念図
【図２０】実施形態１２を説明するための機能ブロック図
【図２１】実施形態１２の処理の流れを説明する図
【図２２】実施形態１３を説明するための機能ブロック図
【符号の説明】
０５００    録画予約メールサーバ装置
０５０１    放送番組表出力部
０５０２    録画希望情報受付部
０５０３    録画予約情報生成部
０５０４    録画予約メール生成部
０５０５    録画予約メール送信部
【図１】
2004235772.tif 000003
【図２】
2004235772.tif 000004
【図３】
2004235772.tif 000005
【図４】
2004235772.tif 000006
【図５】
2004235772.tif 000007
【図６】
2004235772.tif 000008
【図７】
2004235772.tif 000009
【図８】
2004235772.tif 000010
【図９】
2004235772.tif 000011
【図１０】
2004235772.tif 000012
【図１１】
2004235772.tif 000013
【図１２】
2004235772.tif 000014
【図１３】
2004235772.tif 000015
【図１４】
2004235772.tif 000016
【図１５】
2004235772.tif 000017
【図１６】
2004235772.tif 000018
【図１７】
2004235772.tif 000019
【図１８】
2004235772.tif 000020
【図１９】
2004235772.tif 000021
【図２０】
2004235772.tif 000022
【図２１】
2004235772.tif 000023
【図２２】
2004235772.tif 000024